(57)【要約】【課題】長時間着用しても、蒸れることも、熱く感じることもない美容・理容用クロスの提供。【解決手段】髪のカットや毛染めや髪にパーマをかけるときに、首回りを閉じ、からだの少なくとも上半身にかけて着用するクロスであって、網目のような孔ｈのある有孔クロス１と、このクロス１の表面に取り付けた水や薬液や毛髪が通過しない複数枚の帯状の遮蔽クロス２とよりなり、前記各遮蔽クロス２は、前記有孔クロス１の着用状態において、首回りから下半身にかけて横縞状に配置されて上縁部において有孔クロス１に取り付けられ、かつ、上側にくる遮蔽クロス２は、その下縁部が下側にくる遮蔽クロス２の上縁部の上に重なるように取り付けられていることを特徴とする美容・理容用クロス。【選択図】        図１
2004159834.tif 000002
【特許請求の範囲】
【請求項１】
髪のカットや毛染めや髪にパーマをかけるときに、首回りを閉じ、からだの少なくとも上半身にかけて着用するクロスであって、網目のような孔のある有孔クロスと、このクロスの表面に取り付けた水や薬液や毛髪が通過しない複数枚の帯状の遮蔽クロスとよりなり、前記各遮蔽クロスは、前記有孔クロスの着用状態において、首回りから下半身にかけて横縞状に配置されて上縁部において有孔クロスに取り付けられ、かつ、上側にくる遮蔽クロスは、その下縁部が下側にくる遮蔽クロスの上縁部の上に重なるように取り付けられていることを特徴とする美容・理容用クロス。
【請求項２】
髪のカットや毛染めや髪にパーマをかけるときに、首回りを閉じ、からだの少なくとも上半身にかけて着用するクロスであって、網目のような孔のある有孔クロスと、このクロスの表面に取り付けた水や薬液や毛髪が通過しない複数枚の遮蔽クロス片とよりなり、前記各遮蔽クロス片は、前記有孔クロスの着用状態において、首回りから下半身にかけてうろこ状に配置されて上縁部において有孔クロスに取り付けられ、かつ、隣り合う各遮蔽クロス片は、それぞれの側縁部において、重なるように取り付けられていることを特徴とする美容・理容用クロス。
【発明の詳細な説明】
【０００１】
【発明の属する技術分野】
この発明は、美容院や理容院で髪のカットや毛染めをするとき、あるいは髪にパーマをかけるときに、髪の毛や薬液や水がからだや被服にかからないように、その上半身にかけて使用する美容・理容用クロスに関するものである。
【０００２】
【従来の技術】
従来のこの種のクロスとしては、例えば、図８と図９に示すものがある。
【０００３】
図８のクロスＫ３は、後ろ開きのマント型のもので、着用状態において、腕の上部３１と胸の中央部分３２に通気性の良い布を使用し、その他の部分には、水や薬液が浸透しない布を使用している（特許文献１参照）。
【０００４】
図９のクロスＫ４は、後ろ開きの上衣型のもので、着用状態において、胸の中央部分４１と、腕の下部４２から体側部４３にかけて通気性の良い布を使用し、その他の部分には、水や薬液が浸透しない布を使用している（特許文献１参照）。
【０００５】
【特許文献１】
実開平５−４８８１６号公報（１頁、６頁、図５、図９）
【０００６】
【発明が解決しようとする課題】
従来のクロスＫ３，Ｋ４は、いずれも、水や薬液のかかるところには、水や薬液が通過しない布を使用し、水や薬液があまりかからないところには、通気性の良い布を使用したものである。
【０００７】
しかしながら、これらのクロスＫ３，Ｋ４には、次のような問題点がある。
【０００８】
（１）通気性の良い布が腕の上部３１、腕の下部４２、胸の中央部３２、体側部４３のみに使用されていて、その布のクロスＫ３，Ｋ４全体に占める面積が過小であるため、体温で高くなったからだとクロスの間の空気を充分に放出できない。
【０００９】
このため、からだとクロスの間の空気が室温より高くなり、クロスを長時間着用していると、次第に蒸れるようになり、熱く感じるようになる。
【００１０】
（２）通気性の良い布が腕の上部３１や体側部４３に使用されているので、ここからカットされた髪の毛がクロスの中に入り、クロスとしての機能をはたさない。
【００１１】
この発明は、このような従来のクロスの問題点を解決するためになされたもので、長時間着用していても蒸れることも熱く感じることもなく、また、薬液や水が通過して被服を汚したり、カットした髪の毛が被服の上に落ちたりするのを防止できる美容・理容用クロスを提供することを目的とする。
【００１２】
【課題を解決するための手段】
この発明が提供する美容・理容用クロスは、次の（１）及び（２）に記載のものである。
【００１３】
（１）髪のカットや毛染めや髪にパーマをかけるときに、首回りを閉じ、からだの少なくとも上半身にかけて着用するクロスであって、網目のような孔のある有孔クロスと、このクロスの表面に取り付けた水や薬液や毛髪が通過しない複数枚の帯状の遮蔽クロスとよりなり、前記各遮蔽クロスは、前記有孔クロスの着用状態において、首回りから下半身にかけて横縞状に配置されて上縁部において有孔クロスに取り付けられ、かつ、上側にくる遮蔽クロスは、その下縁部が下側にくる遮蔽クロスの上縁部の上に重なるように取り付けられていることを特徴とする美容・理容用クロス（以下、第１のクロスという）。
【００１４】
（２）髪のカットや毛染めや髪にパーマをかけるときに、首回りを閉じ、からだの少なくとも上半身にかけて着用するクロスであって、網目のような孔のある有孔クロスと、このクロスの表面に取り付けた水や薬液や毛髪が通過しない複数枚の遮蔽クロス片とよりなり、前記各遮蔽クロス片は、前記有孔クロスの着用状態において、首回りから下半身にかけてうろこ状に配置されて上縁部において有孔クロスに取り付けられ、かつ、隣り合う各遮蔽クロス片は、それぞれの側縁部において、重なるように取り付けられていることを特徴とする美容・理容用クロス（以下、第２のクロスという）。
【００１５】
【発明の実施の形態】
以下、この発明の実施の形態を実施例によって図面を参照しながら説明する。
【００１６】
【実施例１】
図１〜図４は、第１のクロスの実施例（以下、実施例１という）を示す。
【００１７】
実施例１の美容・理容用クロスＫ１は、図１に展開図で示すように、後ろ閉じのマント型のクロスで、ほぼ３／４円形状の有孔クロス１に、ほぼ３／４円環帯状の不透水性の遮蔽クロス２を同心円上に５枚配置して取り付けた構造になっている。ｈは有孔クロスの孔で、網目状に設けられている。
【００１８】
有孔クロス１は、着用後に、その開端部１ａ、１ｂを閉じる構造になっている。すなわち、一方の開端部１ａに延設した閉じ代４の上に他方の開端部１ｂを重ねて図外の接着布で接合することによって閉じる構造となっている。
【００１９】
５はクロスＫ１を着用したときに、首回りに巻き付ける首バンドで、図外の接着布で首回りに固定される。
【００２０】
図２は図１に示すクロスＫ１を鎖線位置３で２つに折り畳んだ状態を正面から見たものであり、図３は背面から見たものである。
【００２１】
図４は、図２のＡ−Ａ断面を拡大して示したものである。同図に示すように、遮蔽クロス２は、有孔クロス１をその首バンド５を首に巻き付けて着用したとき、上縁部２ａが有孔クロス１への取り付け部となっている。
【００２２】
上側にくる遮蔽クロス２は、その下縁部２ｂがその下側にくる遮蔽クロス２の上縁部２ａの上に重なるように配置して、有孔クロス１に取り付けられている。
【００２３】
各遮蔽クロス２は、２つに折り畳んで正面又は背面から見たとき、上述のように、上端部の上に下端部を重ねて横縞状に配置され、同クロス２にかかる水や薬液や毛髪を有孔クロス１側へ侵入しないように切り流す構成となっている。
【００２４】
遮蔽クロス２の幅は、この実施例では、１２ｃｍであり、有孔クロス１の孔ｈは、直径が３ｍｍで２ｍｍ間隔で設けられている。
【００２５】
有孔クロス１と遮蔽クロス２は、加熱溶融する合成樹脂シートで、遮蔽クロス２の有孔クロス１への取付けは、熱溶着によってなされている。閉じ代４は通気性のない合成樹脂シートで有孔クロス１の開端部１ａに熱溶着されている。
【００２６】
実施例１では、クロスＫ１の表面に帯状の遮蔽クロス２を上縁部２ａにおいて取り付け、その下縁部２ｂを下側にくる遮蔽クロス２の上縁部２ａの上に重ねて、遮蔽クロス２の上にかかる水、薬液、又は毛髪を同クロス２で切り流すように構成した。
【００２７】
このような構成としたので、有孔クロス１のクロスＫ１全体に占める面積が広くなる。また、遮蔽クロス２は、下縁部２ｂ側が開き、ここから入った空気は、有孔クロス１の孔ｈを通って出入りすることができる。
【００２８】
このため、クロスＫ１を着用したときに体温で高くなった有孔クロス１とからだの間の暖気は、孔ｈから外部へ放出され、外部の冷気は孔ｈから流入する。このようにして有孔クロス１の孔ｈを通して暖気と冷気の交換が行われる。
【００２９】
このような理由から、クロスＫ１を長時間着用しても、有孔クロス１の孔ｈを通して熱交換が効果的に行われるので、蒸れたり、熱く感じることはなくなる。
【００３０】
また、上述のように、有孔クロス１にかかる水、薬液又は毛髪を遮蔽クロス２で切り流すように構成したので、水や薬液が有孔クロス１の孔ｈを通過して被服を汚したり、カットした髪の毛が被服の上に落ちたりするおそれがなくなる。
【００３１】
【実施例２】
図５は、第２のクロスの実施例（以下、実施例２という）を示し、図１に対応する図である。図１におけると同一部分には、同一符号を付した。
【００３２】
実施例２のクロスＫ２は、実施例１のクロスＫ１における円環帯状の遮蔽クロス２を、これを分割した形状の遮蔽クロス片１２で置き換えた構造のもので、各遮蔽クロス片１２はうろこ状に配置されている。
【００３３】
各遮蔽クロス片１２は、有孔クロス１をその首バンド５を首に巻き付けて着用したとき、その上側の上縁部が有孔クロス１への取付け部となっている。各遮蔽クロス片１２の有孔クロス１への取付状態においては、上側にくる遮蔽クロス片１２の下縁部は、下側にくる遮蔽クロス片１２の上縁部の上に重なるように配置され、隣り合う左右の各遮蔽クロス片１２は、それぞれ左右の側縁部において重なるように配置されている。
【００３４】
その他の構成は、実施例１のそれと同じである。
【００３５】
実施例２の作用効果は、実施例２のそれと本質的に同じである。
【００３６】
なお、実施例１、２では、有孔クロス１、遮蔽クロス２及びクロス片１２として、合成樹脂シートを使用したが、織物や編物でも、軽いものであれば使用できる。
【００３７】
実施例１では、遮蔽クロス２とクロス片１２として、合成樹脂シートに３ｍｍφの孔ｈを２ｍｍ間隔で設けたものを使用したが、これに限定されない。例えば、０．５ｍｍ〜１０ｍｍφの孔を２ｍｍ〜４ｍｍの間隔で設けたものでも実用できる。
【００３８】
このほか、遮蔽クロス２やクロス片１２として、網目のような透かし目の編地（メッシュ生地）を使用することができる。
【００３９】
この発明にいう有孔クロスとは、合成樹脂シートに孔ｈを開けたもの、メッシュ生地などの孔が多数ある通気性の良いクロス（シート）をいう。
【００４０】
また、実施例１と２では、遮蔽クロス２とクロス片１２の上縁部を有孔クロス１に重ね貼りで取り付けたが、図６、７のように、折りひだ（プリーツ）をつけて取り付けてもよい。
【００４１】
このようにすると、有孔クロス１とクロス片１２の間が大きく開き、空気の流入、流出に効果的となる。
【００４２】
また、実施例１、２では、マント型のクロスについて説明したが、上衣型のクロスについても同様に説明できる。
【００４３】
【発明の効果】
以上説明したように、この発明によれば、上述のような構成としたので、次の効果を奏する。
【００４４】
（１）長時間着用していても、蒸れず、熱く感じることもない。
【００４５】
（２）薬液や水で被服が汚れたり、カットした髪の毛が被服の上に落ちたりしなくなる。
【図面の簡単な説明】
【図１】実施例１の美容・理容用クロスの一部切欠平面図
【図２】図１の美容・理容用クロスを図１の鎖線部分で折り畳んで前側から見たときの正面図
【図３】図２の美容・理容用クロスの背面図
【図４】図２のＡ−Ａ断面拡大図
【図５】実施例２の美容・理容用クロスの平面図
【図６】実施例１又は２における遮蔽クロス又は遮蔽クロス片の有孔クロスへの取付要領を示す断面図
【図７】実施例１又は２における遮蔽クロス又は遮蔽クロス片の有孔クロスへの取付要領を示す断面図
【図８】従来の美容・理容用クロスの正面図
【図９】従来の美容・理容用クロスの正面図
【符号の説明】
Ｋ１、Ｋ２  美容・理容用クロス
１  有孔クロス
１ａ、１ｂ  開端部
２  遮蔽クロス
２ａ  上端部
２ｂ  下端部
ｈ  孔
４  閉じ代
５  首バンド
１２  遮蔽クロス片
【図１】
2004159834.tif 000003
【図２】
2004159834.tif 000004
【図３】
2004159834.tif 000005
【図４】
2004159834.tif 000006
【図５】
2004159834.tif 000007
【図６】
2004159834.tif 000008
【図７】
2004159834.tif 000009
【図８】
2004159834.tif 000010
【図９】
2004159834.tif 000011